(57)【要約】      （修正有）【課題】スペースを採らずに、複数本のペットボトル等のボトルの水切りを効果的に行うことができるボトル用水切り具を提供する。【解決手段】吊り下げられて用いられるボトル用水切り具であって、幹１ａと、幹１ａに対して枝状に配置された複数の輪部１ｂとを備え、幹１ａ及び輪部１ｂは可撓性を有し、輪部１ｂは、該ボトルの胴部でボトルを支持する。【選択図】図１
2014057611.tif 000002
【特許請求の範囲】
【請求項１】
吊り下げられて用いられるボトル用水切り具であって、
幹と、前記幹に対して枝状に配置された複数の輪部とを備え、
前記幹及び輪部は可撓性を有し、
前記輪部は、ボトルの胴部でボトルを支持するものであることを特徴とするボトル用水切り具。
【請求項２】
使用しないときには、丸める、または、畳まれてコンパクト化できる請求項１または２に記載のボトル用水切り具。
【請求項３】
前記輪部が弾性素材から形成されている請求項１または２に記載のボトル用水切り具。
【請求項４】
前記輪部はその周長を調整するための周長調整手段を有する請求項１〜３の何れか１項に記載のボトル用水切り具。
【発明の詳細な説明】
【技術分野】
【０００１】
本発明は、ペットボトルやガラス瓶のような狭い口部を有するボトルを洗浄した後、その内部の水を切るために用いられるボトル用水切り具に関する。
【背景技術】
【０００２】
清涼飲料水等の容器として用いられているペットボトル等の空瓶は耐久性に優れているために、一般家庭において、しばしば、水筒や保存容器として再利用されている。ペットボトル等の空瓶は、一般家庭においては、複数本備えられていると思われる。ペットボトルの再利用に際しては、使用後のペットボトルの内部を洗浄した後、風乾される。しかし、洗浄後のペットボトルは狭口のために内部に付着した水を素早く切ることは難しく、水滴が全く付着していない程度にまで乾燥するためには時間が掛かっていた。従来、容器を乾燥させる器具に関して種々の提案がなされている。
【０００３】
例えば、下記特許文献１は、ペットボトル，紙パック，缶，牛乳ビンなどの容器の水切り金具であって、該水切り金具の下部には略円状の基部と、基部の周縁より中心方向上部に伸びて、その上端には物干し竿に吊り下げ可能なフックが形成された吊下げ軸と、その吊下げ軸に回転可能に軸支され、各容器を逆さまに挟持する保持具とからなる水切り金具を開示する。また、下記特許文献２は、洗浄したペットボトルが固定枠の中で安定した状態で内部水滴が自然落下し乾燥させることを特徴とした容器乾燥ケースを開示する。また、下記特許文献３は、基部と、可撓性を有する材料からなり、上記基部に棒状に立設されており、ボトルが被せられて支持される、１又は２以上のボトル支持部とを備えており、上記ボトル支持部の底部又は上記基部に、上記ボトルの口が突き当たった状態で、ボトルが上記ボトル支持部に被せられるように構成されているボトル立てを開示する。また、下記特許文献４は、哺乳瓶・ペットボトル・コップ・水筒・のような内部を布巾で、拭いて乾燥させることのできない口の狭い容器を吊り下げ、乾燥させるため、柔軟な帯の片面に滑り止め材を塗着し、その一端を環に逢着し、その帯に輪を設けた紐をかけて、かぎ状の突起や環・吸盤のような掛け具をつけた容器の吊り下げ具を開示する。
【先行技術文献】
【特許文献】
【０００４】
【特許文献１】特開２００９−２２５８４６号公報
【特許文献２】特開２００４−１８１１７０号公報
【特許文献３】特開２００６−２１２１７６号公報
【特許文献４】特開２００８−１３６８２７号公報
【発明の概要】
【発明が解決しようとする課題】
【０００５】
特許文献１〜特許文献３に開示されたようなボトル立ては、それらを配設するための広い平面スペースが必要になる。このような器具は、キッチンのシンク周りに配設されることが多いが、シンク周りは通常スペースが狭い。従って、このような器具はシンク周りのスペースの有効利用を著しく妨げる。また、複数本のペットボトル等を乾燥する場合、これらの器具においては、平面スペースを利用してペットボトルを並べる必要があるために、より多くのペットボトルを一度に乾燥したい場合等には、広い平面スペースの確保が必要になるという問題があった。さらに、これらの器具は使用しないときに収納する場合には嵩張るという問題もあった。
【０００６】
また、特許文献４に開示された容器の吊り下げ具は、一本のペットボトルを滑り止めを有する帯等で固定して吊り下げて乾燥させる技術であり、このような吊り下げ具で一本のペットボトルを乾燥する場合には、シンク周りの平面スペースはペットボトル一本分のスペースでよい。しかし、このような吊り下げ具を用いて複数本のペットボトルを同時に乾燥させる場合には、特許文献１〜３と同様に、吊り下げられるペットボトルの本数に応じて、ペットボトルの本数分の広い平面スペースが要求される。また、このような吊り下げ具を用いて複数本のペットボトルを乾燥させる場合、キッチン周りに吊り下げ具に吊るされたペットボトルが２次元的に複数本並ぶために、キッチン周りの美観を大きく損なうという問題があった。
【０００７】
本発明は、広い平面スペースを必要とせずに、複数本のペットボトル等のボトルの水切りを効果的に行うことができるボトルの水切り具を提供することを目的とする。
【課題を解決するための手段】
【０００８】
本発明のボトル用水切り具は、吊り下げられて用いられるボトル用水切り具であって、幹と、幹に対して枝状に配置された複数の輪部とを備え、幹及び輪部は可撓性を有し、輪部は、該ボトルの胴部でボトルを支持するものである。このような構成のボトル用水切り具によれば、鉛直方向に吊り下げられた幹に沿ってボトルを固定するための複数の輪部が配置されているために、ボトルの本数分の平面スペースを必要とせずに、略鉛直方向に沿って複数のボトルを配置して乾燥させることができる。そのためにキッチン周り等の狭いスペースで複数本のペットボトルの水切りを同時に行うことができる。また、紐や弾性素材のように可撓性を有するために、使用しないときには、丸めたり畳んだりしてキッチン周りの家具の引出し等にコンパクト化して収納することができる。さらに、ボトルの胴部で支持して重力によりボトル内部の水滴を排出するために乾燥が早く、また、ボトル内部に部材が接することがないために清潔である。
【０００９】
また、輪部は、その周長をボトルの形状に合わせて調整されるための周長調整手段を有していたり、弾性素材から形成されていたりすることが好ましい。ボトルの周長は様々である。従って、各輪部の周長が調整できる場合には、ボトルを支持するために適した周長に輪部を調整することができる。そして、複数の輪部ごとにボトルの容積に応じて輪部の周長を調整することにより、例えば５００ｍＬと１Ｌのペットボトルのように、互いに容積が異なる複数のボトルを同時に乾燥させることができる。また、弾性素材から形成されている場合には、弾性により輪部を引き伸ばすことによりその径を拡張させることができる。そのために、ボトルのサイズに応じて輪部を引き伸ばしてボトルを挿入し、ボトルの挿入後は輪部の弾性によりボトルが固定されるために、ボトルのサイズによらず、ボトルを落下しないように支持することができる。
【発明の効果】
【００１０】
本発明によれば、広い平面スペースを必要とせずに、複数本のペットボトル等のボトルの水切りを効果的に行うことができる。
【図面の簡単な説明】
【００１１】
【図１】図１は、本発明に係るボトルの水切り具の第１実施形態の模式説明図である。
【図２】図２は、水切り具の部分構造の一例を示す模式説明図である。
【図３】図３は、水切り具の輪部の構造の一例を示す模式説明図である。
【図４】図４は、水切り具の輪部の構造の一例を示す模式説明図である。
【図５】図５は、サイズの異なるボトルを支持するときの輪部の周長調整を説明するための説明図である。
【図６】図６は、水切り具を収納する際に畳んだときの様子を説明する模式説明図である。
【図７】図７は、水切り具の変形例の一例を説明するための模式説明図である。
【発明を実施するための形態】
【００１２】
本発明に係るボトルの水切り具の一実施形態を図面を参照しながら説明する。図１は本発明に係るボトルの水切り具の一実施形態の模式説明図である。図１中、１は、可撓性の素材から形成された紐状の幹１ａと幹１ａに対して枝状に配置された複数の輪部１ｂとを備える水切り具であり、２はペットボトルである。水切り具１は、幹１ａの上端に接続されたフック３で支持体１０に吊り下げられている。また、各輪部１ｂは、ペットボトル２の胴部２ａをくぐらせてその液口２ｂが鉛直略下方向に向くようにペットボトル２を支持している。ペットボトル２は、予めその内部が水洗されて、液口２ｂに蓋を装着しないまま支持されている。支持体１０及びフック３の形状等は特に限定されず、水切り具１を鉛直下方向に垂らすことができるような構造を形成するものである限り、特に、限定されない。また、本実施形態においては、ボトルとしてペットボトルの例を代表例として示すが、ガラス等の他の材質からなるボトルであってもよい。
【００１３】
水切り具１に装着されたペットボトル２は、その液口２ｂが鉛直略下方向に向くように配置されて輪部１ｂで支持されている。ペットボトル２を、その液口２ｂが鉛直略下方向に向くように配置することにより、水洗によりペットボトル２の内表面に付着した水を重力により滑らせてペットボトル２の外部に排出させることができる。そして、ペットボトル２から大半の水滴が外部に排出された後には、ペットボトル２の内表面に存在する水分は速やかに蒸発して乾燥される。なお、このような水切り具１は、キッチンのシンク（流し台）等の排水設備の上方に配置した場合には、水滴は排水設備に排出される点から好ましい。
【００１４】
水切り具は、幹と幹に対して枝状に配置された複数の輪部とを備え、可撓性を有するものである。なお、可撓性は、重力や、人が軽く握る程度の力で容易に変形する程度の剛性を有することを意味する。可撓性の幹及び輪部を形成するための素材の具体例としては、例えば、合成繊維や天然繊維から形成された編紐や織紐のような織編紐や、軟質樹脂を成形して得られた樹脂成形体が挙げられる。これらの中では樹脂成形体は吸水性が低いために水洗いができ、また、防カビ性にも優れる点から好ましい。また樹脂成形体としては、フッ素樹脂エラストマー，シリコーン樹脂エラストマー等のエラストマーや各種ゴムからなる成形体のように弾性素材の成形体であることがボトルに対する滑り止め性に優れている点から好ましい。また、輪部を弾性素材で成形した場合には、弾性により輪部を引き伸ばすことによりその径を拡張させることができる。そのために、ボトルのサイズに応じて輪部を引き伸ばしてボトルを挿入し、ボトルの挿入後は輪部の弾性によりボトルが固定されるために、ボトルのサイズによらず、ボトルを落下しないように支持することができる。また、弾性素材の中では、特に、シリコーン樹脂やフッ素樹脂のような樹脂素材は滑り性に優れるために輪部にボトルを装着することが容易になり、また、耐熱性に優れる点から、熱湯や自動食器洗浄機を用いた高温洗浄が可能である点から好ましい。
【００１５】
輪部は、幹に対して枝状に配置されている限りその形態は特に限定されない。例えば、図１においては、幹１ａに一定の間隔ごとに直接、輪部１ｂを配置した例を示している。また、別の例としては、例えば、図２に示すように、幹１ａに対して、別の紐からなる複数のエダス１ｃを形成し、各エダス１ｃの先端に輪部１ｂを形成してもよい。この場合、例えば、幹１ａに沿って摺動可能な環状の留め具１ｄにエダス１ｃを接続し、必要に応じて幹１ａに対して留め具１ｄを摺動させてその位置をずらすことにより、輪の位置を好みの位置に移動させて固定できるような構造であってもよい。輪の位置が移動可能になるような構造を採用することにより、ボトルのサイズに応じて、複数の輪部間の間隔を適度な間隔になるように調整することができる。
【００１６】
輪部の構造は、ペットボトルをくぐらせてペットボトルを支持することができるような形態であれば特に限定されない。具体的には、例えば、特定の周長を有するものであっても、ボトルの形状に合わせて周長を調整できる周長調整手段を有するような構造であってもよい。周長調整手段の具体例としては、上述したような弾性素材を用いて周長を調整する場合の他、図３に示したような、紐５を環状にして結束具１５で止めることにより輪部を形成するような構造や、図４に示したような、紐５の一端を幹１ａに固定し、他の一端の先端にクリップ構造６を設け、紐５の所定の位置をクリップ構造６で挟持して所望の周長の輪部を形成するような構造等が挙げられる。このような周長調整手段を有する場合には、例えば図５に示すように、ペットボトルの大きさ（例えば、５００ｍＬ、１５００ｍＬ）に応じて輪部１ｂの周長を調整することにより、ペットボトルのサイズによらず、しっかりとペットボトル２を支持することができる。また、各輪部の周長を個別に調整することにより、互いにサイズの異なるペットボトル同士を一つの水切り具で同時に支持させることができる。
【００１７】
また、輪部を弾性素材で形成する場合、例えば、数珠状に複数の球が連なったような形状に成形したような突起を有する紐からなる輪部を用いた場合には、ペットボトルに対して弾性により突起の部分が押し付けられて部分的に高い圧力が付与されることにより、ペットボトルに対するグリップ力が向上する点から特に好ましい。
【００１８】
このような水切り具は幹及び輪部が可撓性の素材で形成されているために、使用しないときには、図６に示すように畳んだり、また、剛性が極めて低い可撓性素材から形成されている場合には、紐を丸めるようにしてキッチン周りの家具の引出し等にコンパクト化して収納することができる。
【００１９】
以上、本発明に係るボトルの水切り具として、水切り具１の実施形態について詳しく説明したが、本発明に係るボトルの水切り具は、本発明の効果を損なわない限り、さらに、各種変形を施して用いてもよい。
【００２０】
変形例の具体例としては、例えば、図７に示すように、下端に、水受けのための皿状構造８を設けてもよい。このような皿状構造８を設けることにより、排水設備の上方に吊るせない場合には、切られた水を皿で受けることができる点から好ましい。
【００２１】
また、水切り具１においては、フック構造３により支持体１０に吊り下げる構造について説明したが、吊り下げる方法も特に限定されず、吸盤を用いたり、磁石を用いたり、また、吊戸棚の底板の端部を挟持して固定するようなかもい式フック等、特に限定されない。また、キッチン周りに配置される食器乾燥ラックやふきんハンガー等に吊り下げようにして用いてもよい。
【符号の説明】
【００２２】
１    ボトルの水切り具
１ａ  幹
１ｂ  輪部
１ｃ  エダス
１ｄ  留め具
２    ペットボトル
２ｂ  ペットボトル２の胴部
２ｂ  ペットボトル２の液口
３    フック
５    紐
６    クリップ構造
８    皿状構造
１０  支持体
１５  結束具
【図１】
2014057611.tif 000003
【図２】
2014057611.tif 000004
【図３】
2014057611.tif 000005
【図４】
2014057611.tif 000006
【図５】
2014057611.tif 000007
【図６】
2014057611.tif 000008
【図７】
2014057611.tif 000009